(57)【特許請求の範囲】
【請求項１】
光学的に情報を記録する光ディスクであって、
照射される光ビームに従って情報を記録する第１の色素材料が設けられた第１の記録層と、
照射される光ビームに従って視認可能な画像パターンを記録する第２の色素材料が設けられた第２の記録層と、を有し、
前記第１の記録層は前記光ディスクの一方の面、前記第２の記録層は前記光ディスクの他方の面に形成されており、
前記第１の色素材料と第２の色素材料は、
未だ情報が記録されない状態での前記第１の記録層と、前記画像パターンが未だ記録されない状態での前記第２の記録層とを視覚的に識別することができる色素材料であり、
且つ、前記第２の記録層に前記画像パターンが記録され、前記第１の記録層に情報記録された場合、前記第２の記録層に記録された前記画像パターンと前記第２の記録層の未記録部分との視認されるコントラストが、前記第１の記録層に情報記録された記録部分と前記第１の記録層の未記録部分との視認されるコントラストに較べて大きいこと、
を特徴とする光ディスク。
【請求項２】
前記第１の記録層と前記第２の記録層との間に介在し、前記第１の記録層に照射される光ビームを反射すると共に、第２の記録層に照射される光ビームを反射する反射層が形成されていること、
を特徴とする請求項１に記載の光ディスク。
【請求項３】
光学的に情報を記録する光ディスクであって、
前記光ディスクの一方の面に設けられ、照射される光ビームに従って情報をピット記録する第１の色素材料で形成された第１の記録層と、
前記光ディスクの他方の面に設けられ、光ビームが照射されることで視認可能な画像パターンを記録する第２の色素材料で形成された第２の記録層と、を有し、
前記第１の色素材料と第２の色素材料は、
未だ情報が記録されない状態での前記第１の記録層と、前記画像パターンが未だ記録されない状態での前記第２の記録層とを視覚的に識別することができる色素材料であり、
且つ、前記第２の記録層に前記画像パターンが記録され、前記第１の記録層に情報記録された場合、前記第２の記録層に記録された前記画像パターンの視認される反射率と前記第２の記録層の未記録部分の視認される反射率との差と、前記第１の記録層に情報記録された記録部分の視認される反射率と前記第１の記録層の未記録部分の視認される反射率との差とを異ならせる色素材料であること、
を特徴とする光ディスク。
【請求項４】
前記第１の記録層と前記第２の記録層との間に介在し、前記第１の記録層に照射される光ビームを反射すると共に、第２の記録層に照射される光ビームを反射する反射層が形成されていること、
を特徴とする請求項３に記載の光ディスク。
【請求項５】
前記第２の記録層の上面に形成され、前記第２の記録層に照射される光ビームを透過する透明層と、
前記透明層の上面に形成された印刷層と、
を有することを特徴とする請求項１または３に記載の光ディスク。
【請求項６】
前記第２の色素材料は、シアニン系又はアゾ系の有機色素材料であること、
を特徴とする請求項１または３に記載の光ディスク。
【発明の詳細な説明】
【０００１】
【発明の属する技術分野】
本発明は、光学的に情報を記録再生する情報記録再生媒体に関する。
【０００２】
【従来の技術】
光学的に情報記録又は情報再生が行われる情報記録再生媒体として、ＣＤ（Compact Disk）、ＤＶＤ（Digital Video Disk又はDigital Versatile Disk）等が知られている。また、情報記録が可能なＣＤやＤＶＤとして、片面だけに情報を書き込むことが可能な追記型ディスク（write once disk）と書き換え可能型ディスク（re-writable disk）の他、両面に情報を書き込むことが可能な追記型ディスクと書き換え可能型ディスクが研究開発されている。
【０００３】
上記の片面だけに情報を書き込むことが可能な追記型ディスクと書き換え可能型ディスクは、情報書き込みと情報読み取りが行われる面（以下、記録再生面という）に対して裏側の面がレーベル（label）面となっており、このレーベル面にはディスク製造者の社名やトレードマーク等が印刷されている。
【０００４】
また、両面に情報を書き込むことが可能な追記型ディスクと書き換え可能型ディスクは、上記のようなレーベル面が設けられておらず、両面とも記録再生面となっている。
【０００５】
こうした追記型や書き換え可能型ディスクが研究開発された結果、ユーザーは、著作権に抵触しない範囲で、所望の音楽や画像等のコンテンツデータを書き込んでオリジナリティを有するディスクを制作したり、コンピュータ用のプログラムデータを書き込んで必要なアプリケーションを揃えた利便性の高いディスクを制作する等の幅広い利用が可能となった。
【０００６】
【発明が解決しようとする課題】
ところで、上記の各ディスクは外観上極めて類似した形状となっているため、ユーザーは、利用するディスクの枚数が増えてくると、多数のディスクの中から所望のディスクを選び出したり管理することが困難になるという問題があった。
【０００７】
そこで、ユーザーは、片面だけが記録再生面となっている追記型ディスクと書き換え可能型ディスクに設けられている上記レーベル面の余白部分に、筆記具等を用いて識別用の文字や絵柄等を手書きし、その記載に基づいて各ディスクを識別したり管理する等の方法を講じていた。
【０００８】
しかし、レーベル面に文字や絵柄等を手書きすると、それらの文字や絵柄は次第に薄れて不鮮明になったり、外観的に美観を損ねる等の問題があった。
【０００９】
また、両面とも記録再生面となっている追記型ディスクと書き換え可能型ディスクでは、レーベル面が存在しないので、文字や絵柄等を手書きすることすらできず、管理等が極めて困難になるという問題があった。
【００１０】
更に、両面とも記録再生面となっている追記型ディスクと書き換え可能型ディスクでは、必要な情報がどちらの記録再生面に書き込まれているかを簡単に知ることができないという問題があった。
【００１１】
本発明はこうした従来の課題を克服するためになされたものであり、視認可能な情報を記録する領域を備えた情報記録再生媒体を提供することを目的とする。
【００１２】
請求項１に記載の発明は、光学的に情報を記録する光ディスクであって、照射される光ビームに従って情報を記録する第１の色素材料が設けられた第１の記録層と、照射される光ビームに従って視認可能な画像パターンを記録する第２の色素材料が設けられた第２の記録層と、を有し、前記第１の記録層は前記光ディスクの一方の面、前記第２の記録層は前記光ディスクの他方の面に形成されており、前記第１の色素材料と第２の色素材料は、未だ情報が記録されない状態での前記第１の記録層と、前記画像パターンが未だ記録されない状態での前記第２の記録層とを視覚的に識別することができる色素材料であり、且つ、前記第２の記録層に前記画像パターンが記録され、前記第１の記録層に情報記録された場合、前記第２の記録層に記録された前記画像パターンと前記第２の記録層の未記録部分との視認されるコントラストが、前記第１の記録層に情報記録された記録部分と前記第１の記録層の未記録部分との視認されるコントラストに較べて大きいこと、を特徴とする。
【００１４】
請求項３に記載の発明は、光学的に情報を記録する光ディスクであって、前記光ディスクの一方の面に設けられ、照射される光ビームに従って情報をピット記録する第１の色素材料で形成された第１の記録層と、前記光ディスクの他方の面に設けられ、光ビームが照射されることで視認可能な画像パターンを記録する第２の色素材料で形成された第２の記録層と、を有し、前記第１の色素材料と第２の色素材料は、未だ情報が記録されない状態での前記第１の記録層と、前記画像パターンが未だ記録されない状態での前記第２の記録層とを視覚的に識別することができる色素材料であり、且つ、前記第２の記録層に前記画像パターンが記録され、前記第１の記録層に情報記録された場合、前記第２の記録層に記録された前記画像パターンの視認される反射率と前記第２の記録層の未記録部分の視認される反射率との差と、前記第１の記録層に情報記録された記録部分の視認される反射率と前記第１の記録層の未記録部分の視認される反射率との差とを異ならせる色素材料であること、を特徴とする。
【００１５】
【発明の実施の形態】
以下、本発明の実施の形態を図面を参照して説明する。尚、好適な実施形態として、両面に書き込みが可能なＣＤ−Ｒについて説明する。
図１は、本実施形態の追記型ディスクＤＳＣの外観形状を示す平面図である。また、同図（ａ）は追記型ディスクＤＳＣの一方の面１の形状、同図（ｂ）は他方の面（面１に対して裏面に相当する面）２の形状をそれぞれ示している。
【００１６】
この追記型ディスクＤＳＣの一方の面（以下、第１の面という）１は、同図（ａ）に示すように、記録再生面の全面がプログラム領域１ａとなっており、他方の面（以下、第２の面という）２は、同図（ｂ）に示すように、円環状のレーベル領域２ｂと、レーベル領域２ｂの内側に設けられた円環状のプログラム領域２ａを備えて形成されている。
【００１７】
更に、図２の縦断面図に基づいて構造を述べると、反射層３を挟んで第１の面１と第２の面２の構造が厚み方向において略対称となっている。
【００１８】
第１の面１は、有機色素を材料とする記録層４ａとポリカーボネートを材料とする透過層５ａとを有する積層構造によって形成され、第２の面２は、有機色素を材料とする記録層４ｂとポリカーボネートを材料とする透過層５ｂとを有する積層構造によって形成されている。尚、記録層４ｂは、シアニン系またはアゾ系の有機色素で形成されている。
【００１９】
更に、第２の面２の透過層５ｂの表面に、例えばディスク製造者の社名「DEFGH Corporation」等やトレードマーク「ＡＢＣ」等の文字や絵柄等が記載された薄い印刷層６によってレーベル領域２ｂが形成されている。
【００２０】
つまり、第２の面２は、従来のレーベル面と同様の機能を有するレーベル領域２ｂと、光学的に情報書き込みを行うことができるプログラム領域２ａが形成されている。
【００２１】
書き込み信号によって変調された光ビームを第１の面１のプログラム領域１ａに照射すると、有機色素の記録層４ａが熱溶融され化学変化を起こして、記録層４ａと透過層５ａの界面近傍が変形変質することにより、情報書き込みが行われる。また、既に情報が書き込まれているプログラム領域１ａに所定パワーの光ビームを照射し、記録層４ａからの反射光を検出することによって情報読み取りが行われる。
【００２２】
また、第２の面２のプログラム領域２ａに書き込み用の光ビームを照射することで、記録層４ｂに情報書き込みが行われ、また、既に情報が書き込まれているプログラム領域２ａに所定パワーの光ビームを照射すれば、記録層４ｂからの反射光を検出することで情報読み取りが行えるようになっている。
【００２３】
ここで、追記型ディスクＤＳＣの使用態様について説明する。
この追記型ディスクＤＳＣは、プログラム領域１ａ，２ａが未記録の状態で製品出荷される。すなわち、ブランクディスクとして出荷される。
【００２４】
ユーザーが後述する情報書き込み機能を有するオーディオ装置などに、この追記型ディスクＤＳＣを装填して編集操作をすると、そのオーディオ装置が、第２の面２に設けられているプログラム領域２ａの記録層４ｂに書き込み用の光ビームを照射し、記録層４ｂに視認可能な文字や絵柄等のイメージパターンを形成するようになっている。尚、この視認可能な文字や絵柄等のイメージパターンはピットアートと呼ばれている。
【００２５】
例えば、ユーザーがオーディオ装置に「MY FAVORITE MUSIC」、「△△月○○日制作」等の文字を入力すると、図３に示すように、入力された文字をイメージパターンとしてプログラム領域２ａの記録層４ａに書き込むようになっている。
【００２６】
そして、記録層４ｂにおけるイメージパターンが書き込まれた部分と書き込まれない部分とでは反射率の差等の光学特性が異なるため、ユーザーはこのイメージパターン（ピットアート）を視認することができ、容易にディスク管理等をすることができる。
【００２７】
つまり、本実施形態の追記型ディスクＤＳＣによれば、第１の面１を通常の情報書き込み用として使用し、第２の面２のプログラム領域２ａをピットアート書き込み用の新規なレーベル面として用いることで、ユーザーに対し識別や管理等の容易なディスクを提供することができる。
【００２８】
また、ピットアートは、プログラム領域２ａの記録層４ｂに書き込まれるため、透過層５ｂによって常に外部から保護される。このため、従来の手書き文字や絵柄のように次第に薄れて不鮮明になることがなく、更に、外観的に美観を損ねる等の問題の発生を未然に防止することができる。
【００２９】
また、ユーザーがピットアートを書き込まない場合には、第２の面２のプログラム領域２ａも第１の面１のプログラム領域１ａと同様に通常の情報書き込み用に使用することができるため、使用態様の幅を広げることができる。
【００３０】
また、記録層４ｂをシアニン系またはアゾ系の有機色素で形成することで、ピットアートが書き込まれた部分と書き込まれない部分との光学特性（特にコントラスト）の差を大きくすることができ、視認性の向上を図ることができるようになっている。
【００３１】
次に、本実施形態の変形例を図４ないし図８を参照して説明する。尚、これら図４ないし図８において、図１ないし図３と同一又は相当する部分を同一符号で示している。
【００３２】
図４は、第１の変形例における第２の面２の形状を示す平面図である。すなわち、本変形例の追記型ディスクＤＳＣでは、第１の面は、図１（ａ）と同様に記録再生面の全面がプログラム領域１ａとなっており、その裏面に当たる第２の面２が図４に示す形状となっている。
【００３３】
ここで、図１に示したレーベル領域２ｂは円環状に形成されているのに対し、この変形例のレーベル領域２ｂは湾曲状に形成されている。そして、この湾曲状のレーベル領域２ｂに製造者の社名やトレードマーク等が印刷等され、更にこのレーベル領域２ｂの内周側のプログラム領域２ａにピットアートを書き込むことができるようになっている。
【００３４】
このように、レーベル領域２ｂの形状は、図１（ｂ）に示したような円環状である必要はなく、プログラム領域２ａにピットアートを書き込む際や通常の情報書き込みを行う際に妨げとはならない形状であれば、任意の形状にすることができる。
【００３５】
図５は、第２の変形例における第２の面２の形状を示す平面図である。すなわち、本変形例の追記型ディスクＤＳＣでは、第１の面は、図１と同様に記録再生面の全面がプログラム領域１ａとなっており、その裏面に当たる第２の面２が図５に示す形状となっている。
【００３６】
ここで、図１及び図４に示したレーベル領域２ｂは、図２の縦断面図に示したように不透明なシート６や印刷によって形成されているのに対し、本変形例の追記型ディスクＤＳＣでは、印刷層６が施されていない。
【００３７】
したがって、第２の面２の記録層４ｂは、第１の面１の記録層４ａが透過層５によって覆われた状態で開放されているのと同様に、透過層５ｂを介して開放された状態となっている。
【００３８】
ただし、図５に示すように、視認できる程度の比較的狭い幅の円環状のピットアート７が予め形成されている。そして、記録層４ｂのうち、ピットアート７を境にして半径方向外側の記録層に、製造者の社名やトレードマーク等がピットアートとして予め記録され、ピットアート７より半径方向内側が図１（ｂ）及び図２に示したプログラム領域２ａと同様の領域となっている。
【００３９】
かかる構造の追記型ディスクＤＳＣによっても、製造者の社名やトレードマーク等の書誌的記載を視認することができるため、ピットアート７を境にして半径方向外側の領域２ｂ’をレーベル領域とすることができる。
【００４０】
また、円環状のピットアート７を予め形成しておくことで、上記のレーベル領域２ｂ’とプログラム領域２ａを識別することが可能となっている。
【００４１】
尚、円環状のピットアート７の中に予め特殊なデータ、例えばピットアート７の位置情報を有するアドレスデータ等を混入して記録しておき、ＣＤプレーヤやＤＶＤプレーヤ等がこの特殊なデータを読み取った場合に、ピットアート７より半径方向外側へピックアップを移動させないように制御するようにしてもよい。
【００４２】
こうすることで、仮にユーザーが第２の面２のプログラム領域２ａにピットアートを書き込まずに通常の情報書き込みを行う際や、プログラム領域２ａにピットアートを書き込む際に、ピックアップが誤ってレーベル領域２ｂ’に移動するという問題を未然に防止することができる。
【００４３】
図６は、第３の変形例における第２の面２の形状を示す平面図である。すなわち、本変形例の追記型ディスクＤＳＣでは、第１の面は、図１と同様に記録再生面の全面がプログラム領域１ａとなっており、その裏面に当たる第２の面２が図６に示す形状となっている。
【００４４】
本変形例の追記型ディスクＤＳＣでは、第２の面２は、印刷層６を施すことで形成されたレーベル領域２ｂと、そのレーベル領域２ｂの内側に形成された幅の狭い円環状のピットアート７が予め形成され、ピットアート７の半径方向内側がプログラム領域２ａとなっている。
【００４５】
かかる構造によっても、製造者の社名やトレードマーク等の書誌的記載をレーベル領域２ｂに予め書き込んでおき、プログラム領域２ａをユーザーがピットアートを書き込むための領域とすることができる。また、円環状のピットアート７の中に、上記同様のアドレスデータ等を混入して記録しておくことで、ＣＤプレーヤやＤＶＤプレーヤ等が誤ってピックアップをレーベル領域２ｂ側へ移動させないように制御することができる。
【００４６】
図７は、第４の変形例を示した平面図であり、同図（ａ）は第１の面１、同図（ｂ）は第２の面２の形状を示している。
【００４７】
ただし、詳細については説明するが、図１ないし図６に示した追記型ディスクＤＳＣでは、主として通常の情報書き込みを行うための面を第１の面１、ピットアートを書き込むための面を第２の面２として区別したが、図７に示す第４の変形例では、第１の面１と第２の面２のいずれか一方にピットアートを書き込み、または、第１の面１と第２の面２の両方に通常の情報書き込みを行うかはユーザーの判断に応じて選択できるようになっている。このため、実質的に、図１ないし図６に示した追記型ディスクＤＳＣのように各面を区別することなく、ユーザーは本変形例の追記型ディスクＤＳＣを利用できる構造となっている。
【００４８】
図７（ａ）において、この追記型ディスクＤＳＣの第１面１には、円環状のレーベル領域１ｂと、そのレーベル領域１ｂより半径方向内側に設けられたプログラム領域１ａが備えられている。そして、レーベル領域１ｂには、例えば、「Ａ面」等の識別用の文字や絵柄等が予め印刷等されている。
【００４９】
一方、図７（ｂ）に示すように、第２の面２は、円環状のレーベル領域２ｂと、そのレーベル領域２ｂより半径方向内側に設けられたプログラム領域２ａが備えられている。また、レーベル領域２ｂには、ディスク製造者の社名やトレードマーク等が印刷される他、上記の「Ａ面」に対して他方の面、例えば「Ｂ面」であることを識別するための文字や絵柄等が予め印刷等されている。
【００５０】
更に、図８の縦断面図にて構造を述べると、第１の面（すなわち、Ａ面）１の透過層５ｂの表面に印刷層６ｂを形成することによってレーベル領域２ｂが形成されている。また、第２の面（すなわち、Ｂ面）２の透過層５ａの表面にも、印刷層６ｂを形成することによってレーベル領域１ｂが形成されている。
【００５１】
かかる構造を有する追記型ディスクＤＳＣを、ユーザーが後述する情報書き込み機能を有するオーディオ装置などに装填し編集操作をすると、そのオーディオ装置が、ピックアップに対向する面（Ａ面又はＢ面）のプログラム領域（１ａ又は２ａ）の記録層（４ａ又は４ｂ）に書き込み用の光ビームを照射し、視認可能な文字や絵柄等のピットアートを形成する。
【００５２】
例えば、ユーザーが上記したように、オーディオ装置に「MY FAVORITE MUSIC」、「△△月○○日制作」等の文字を入力すると、入力された文字をイメージパターンとして記録層４ａ又は４ｂに書き込むようになっている。
【００５３】
そして、記録層４ａ（又は４ｂ）にピットアートを書き込んだ場合には、他方の記録層４ｂ（又は４ａ）に通常の情報書き込みを行うことができる。
【００５４】
このように、本変形例によれば、実質的に第１の面１と第２の面２は表と裏の区別がなく、ユーザーの好みに応じて決めることができるという汎用性を備えた構造となっている。
【００５５】
尚、本変形例では、両面とも区別することなくユーザーが利用できるようにするために、記録層４ａ，４ｂの両方をシアニン系またはアゾ系の有機色素で形成し、視認性の良いピットアートを形成できるようにすることが望ましい。
【００５６】
ただし、記録層４ａ，４ｂの一方の記録層をシアニン系またはアゾ系の有機色素で形成し、他方の記録層を他の種類の有機色素で形成してもよい。
【００５７】
また、所謂ブランクディスクとして製造出荷する際に予め、第１の面１を通常の情報記録用、レーベル領域２ｂの設けられた第２の面２をピットアート記録用と決めておいてもよい。この場合には、第２の面２側の記録層４ｂをシアニン系またはアゾ系の有機色素で形成することによって視認性の良いピットアートを記録できるようにし、第１の面１側の記録層４ａは、シアニン系またはアゾ系ではない他の有機色素で形成することにより、視覚的に第１の面１と第２の面２を区別できるようにすることが望ましい。
【００５８】
例えば、所謂ブランクディスクの状態でも第１の面１と第２の面２を視覚的に区別できる有機色素で形成し、但し、少なくとも第２の面２側の記録層４ｂはピットアートを記録した際にそのピットアートが見やすくなる有機色素で形成し、他方の第１の面１側の記録層４ａは、ピットが記録された部分と未記録の部分とを識別できない有機色素で形成したり、また、その識別ができても第２の面２側の記録層４ｂに記録されたピットアートと比べて、ピットが記録された部分と未記録の部分との反射率などの光学特性の差が小さく、視覚的に区別が可能となる有機色素で形成することが望ましい。
【００５９】
要は、必要条件として、第２の面２側の記録層４ｂを視認性の良いピットアートを形成することが可能な有機色素で形成することが望ましい。
【００６０】
以上、本実施形態における複数の変形例を説明したが、これらの変形例を適宜に組み合わせた構造にしてもよい。
【００６１】
例えば、図７（ａ）（ｂ）に示した各面１，２のプログラム領域１ａ，２ａ中に、図６に示した円環状のピットアート７と同様のピットアートを、少なくとも第１の面１と第２の面２のいずれか一方に予め書き込んでおいてもよい。
【００６２】
また、図７（ａ）（ｂ）に示した各面１，２のレーベル領域１ｂ，２ｂの少なくとも一方を、図５に示した構造にしてもよい。
【００６３】
また、図４、図５、図６に示した形状を選択的に組み合わせた形状にしてもよい。
【００６４】
また、両面に情報書き込みが可能なＣＤ−Ｒの実施形態を説明したが、本発明は、両面に情報書き込みが可能な追記型ＤＶＤと、両面に書き換えが可能な書き換え可能型ＣＤ−ＲＷ及び書き換え可能型ＤＶＤ（ＤＶＤ−ＲＷ、ＤＶＤ＋ＲＷ、ＤＶＤ−ＲＡＭ等）、更にその他の情報記録が可能な媒体に適用することができる。
【００６５】
次に、図９ないし図１３を参照して、ピットアート書き込み機能を有するオーディオ装置１１について説明する。本オーディオ装置１１は、上記追記型ディスクＤＳＣの他、音楽ＣＤ、ＣＤ−ＲＯＭ、ＣＤ-Extraを再生する機能と、ＤＶＤ-ＲＯＭ、ＤＶＤ-Videoなども再生することができるようになっている。
【００６６】
図９に示すように、本オーディオ装置１１のフロントパネル１２には、上記各種のディスクをローディングとアンローディングするためのディスク挿入口１３と、液晶ディスプレイ等で形成された表示部１４が設けられ、ディスク挿入口１３と表示部１４の周辺には複数の操作スイッチが設けられている。
【００６７】
代表的な操作スイッチを列記すれば、上記ローディングとアンローディングを行わせるためのイジェクトスイッチ１５、電源投入用スイッチ１６、音量調節用のロータリースイッチ１７、表示部１４の右側に配設された複数のファンクションスイッチ１８、表示部１４の左側に配設された複数のファンクションスイッチ１９、録音開始を指示するための録音開始スイッチ２０、ジョグダイヤルと呼ばれるロータリースイッチ２１が備えられている。
【００６８】
複数のファンクションスイッチ１８は、ディスクに記録されているデータの再生開始、データ再生の一時停止、データが記録されているトラック番号の指定等を行うための複数の操作スイッチで構成されている。
【００６９】
複数のファンクションスイッチ１９は、ピットアートを追記型ディスクと書き換え可能型ディスクに書き込む際に操作される複数の操作スイッチで構成されている。より具体的には、ピットアートの書き込み開始を指示するためのピットアート書き込み開始スイッチの他、ピットアートとして書き込むための文字や記号や絵柄等の大きさや、それらの配列等を編集するための複数の編集スイッチと、編集した文字や記号や絵柄等を確定するための確定スイッチを備えて構成されている。
【００７０】
ジョグダイヤルと呼ばれるロータリースイッチ２１は、ユーザーがピットアート書き込みをしようとする文字や記号や絵柄等を選択するために設けられている。ユーザーがロータリースイッチ２１を所定角度で回転させる度に、文字や記号や絵柄等のデータが切り替わり、上記確定スイッチが操作されると、ロータリースイッチ２１で選択された文字や記号や絵柄等をピットアートとして確定するようになっている。
【００７１】
また、図９には示していないが、オーディオ装置１１の背面には、ＣＳチューナ、ＢＳチューナ、ＣＤプレーヤ、ＭＤプレーヤ、ＤＶＤプレーヤ等の外部機器を接続するための外部機器接続端子と、キーボードを接続するためのキーボード接続端子が設けられている。
【００７２】
次に、本オーディオ装置１１の内部構成を図１０を参照して説明する。
図１０において、デジタル入力回路２２に接続されたデジタル入力端子２３と、Ａ／Ｄ変換器２４に接続されたアナログ入力端子２５と、デジタル出力回路２６に接続されたデジタル出力端子２７と、Ｄ／Ａ変換器２８に接続されたアナログ出力端子２９が設けられている。
【００７３】
デジタル入力端子２３は、光デジタル入力端子または同軸デジタル入力端子によって形成されており、デジタル入力回路２２は、デジタル入力端子２３を介して供給される光または電気のデジタルデータを信号処理可能なデジタルデータに変換して入力する。
【００７４】
これにより、ＣＳチューナ、ＢＳチューナ、ＣＤプレーヤ、ＭＤプレーヤ等の外部機器がデジタル入力端子２３に接続されると、これらの外部機器から供給されるデジタルデータをデジタルデータのままで本オーディオ装置１１に入力する。
【００７５】
アナログ入力端子２５は、アナログ信号を入力するために設けられている。すなわち、アナログ入力端子２５にＣＤプレーヤやＭＤプレーヤ等の外部機器が接続されて、これらの外部機器からアナログ再生されたオーディオ信号が供給されると、そのオーディオ信号をＡ／Ｄ変換器２４がデジタルデータに変換して本オーディオ装置１１に入力する。
【００７６】
デジタル出力端子２７は、光デジタル出力端子または同軸デジタル出力端子によって形成されている。また、デジタル出力回路２６は、本オーディオ装置１１が追記型ディスクや書き換え可能型ディスクや再生専用ディスクを再生すると、それによって得られる再生デジタルデータを光または電気のデジタルデータに変換し、デジタル出力端子２７を介して外部機器へ出力する。
【００７７】
Ｄ／Ａ変換器２８は、追記型ディスクや書き換え可能型ディスクや再生専用ディスクから再生されるデジタルデータをアナログ信号に変換し、アナログ出力端子２９を介して外部へ出力する。これにより、スピーカが接続されたアナログ増幅器がアナログ出力端子２９に接続されると、再生音をスピーカで鳴動させることができるようになっている。
【００７８】
上記のキーボード接続端子３０は、マイクロプロセッサ（ＭＰＵ）を備えたシステムコントローラ３１に接続されている。そして、ユーザーがＪＩＳ規格等に準拠したキーボード３２をキーボード接続端子３０に接続すると、上記ファンクションスイッチ１９とロータリースイッチ２１の代わりに、キーボード操作によってピットアートデータの編集とピットアート書き込みの指示を行うことができるようになっている。
【００７９】
デジタル入力回路２２とＡ／Ｄ変換器２４には、システムコントローラ３１によって切り替え制御される２接点切替え回路３３を介して、エンコーダ３６とＬＤ駆動回路３７が従属接続されている。
【００８０】
エンコーダ３６は、システムコントローラ３１によって制御され、２接点切替え回路３３からの入力データＤ１に対してＥＦＭ変調（Eight-Fourteen Modulation）とＣＩＲＣ（Cross Interleave Reed-Solomon Code）方式のインターリービングを行い、それらの処理で生成した書き込み用データＤ２をＬＤ駆動回路３７へ出力する。
【００８１】
また、詳細については後述するが、エンコーダ３６は、システムコントローラ３１からピットアートデータＤｐが供給されると、ピットアートデータＤｐに基づいて書き込み用データＤ２を生成してＬＤ駆動回路３７へ出力する。
【００８２】
ＬＤ駆動回路３７は、システムコントローラ３１によって制御され、エンコーダ３６からの書き込み用データＤ２を電力増幅してピックアップ３８内の半導体レーザ（図示省略）に供給する。これにより、電力増幅された書き込み用データＤ３で変調された光（以下、書き込み光という）をディスクの記録層に照射させてデータ書き込みを行わせる。
【００８３】
また、ディスクからのデータ読み取りの際には、ＬＤ駆動回路３７は、システムコントローラ３１によって指示される一定電力をピックアップ３８内の上記半導体レーザに供給することで、一定パワーの光（以下、読み取り光という）をディスクの記録層に照射させる。
【００８４】
また、ディスクをクランピングして一定の線速度で回転させるスピンドルモータ３９と、ピックアップ３８をディスクの半径方向に進退移動させる送りモータ４０が備えられている。
【００８５】
更に、データ書き込みまたはデータ読み取りの際に書き込み光または読み取り光がディスクに照射されるのに応じて生じる戻り光を、ピックアップ３８内の光検出器（図示省略）が光電変換し、ＲＦアンプ４１がその光電変換信号ＳRFをアドレスデコーダ４２とサーボ制御回路４３及びデコーダ４４へ供給する。
【００８６】
アドレスデコーダ４２は、ＲＦアンプ４１より出力される光電変換信号ＳRFから、書き込み光または読み取り光が照射されているディスクのトラックアドレスを検出し、検出したアドレスデータＤ４をエンコーダ３６とシステムコントローラ３１に供給する。
【００８７】
これにより、上述したエンコーダ３６は、上記のデータ書き込みの際にアドレスデータＤ４に同期した書き込み用データＤ２をＬＤ駆動回路３７に転送し、システムコントローラ３１は、上記データ書き込みの際にピックアップ３８がディスクの記録すべきトラックアドレスに対してオントラック状態にあるか否か判断する。
【００８８】
デコーダ４４は、ＲＦアンプから出力される光電変換信号ＳRFとアドレスデコーダ４２から出力されるアドレスデータＤ４を入力し、アドレスデータＤ４に同期して、光電変換信号ＳRFに含まれているオーディオデータ等をＥＦＭ復調とデインターリーブする。これにより、エンコーダ３６とは逆のデコード処理が行われ、その処理よって生じるデコードデータＤ５がデジタル出力回路２６とＤ／Ａ変換器２８に供給される。
【００８９】
サーボ制御回路４３は、ＲＦアンプ４１から出力される光電変換信号ＳRFに基づいて、トラッキングエラーやフォーカスエラーを検出し、その検出結果に基づいてスピンドルモータ３９と送りモータ４０及び光ピックアップ３８をサーボ制御する。
【００９０】
更に、システムコントローラ３１には、ピットアートデータメモリ４７と標準データメモリ４８が接続されると共に、図１１に示すピットアートデータ生成部４９が設けられている。
【００９１】
ピットアートデータ生成部４９は、文字データデコード部５０とピットアートデータ編集部５１及びアドレス生成部５２を備えて構成されており、システムコントローラ３１に設けられているマイクロプロセッサＭＰＵの下でピットアートデータＤｐを生成する。
【００９２】
文字データデコード部５０は、ジョグダイヤルと呼ばれるロータリスイッチ２１からの文字情報のデータと、キーボード３２からの文字情報のデータをマイクロプロセッサＭＰＵを介して入力し、それらの文字情報のデータＤ６に基づいて、標準データメモリ４８に予め記憶されている標準文字データＤｃを検索して、ピットアートデータ編集部５１に供給する。
【００９３】
ピットアートデータ編集部５１は、標準文字データＤｃをビットマップ形式のデータ（以下、ビットマップデータという）Ｄbmpに変換し、ピットアートデータメモリ４７に記憶させる。また、ユーザーがファンクションスイッチ１９又はキーボード３２を操作して編集を行うと、ピットアートデータ編集部５１はその編集指令のデータＤ７をマイクロプロセッサＭＰＵを介して入力し、編集指令に従ってビットマップデータＤbmpを編集してピットアートデータメモリ４７に記憶させる。
【００９４】
アドレス生成部５２は、ピットアートデータメモリ４７に記憶されたビットマップデータＤbmpを読み出すためのアドレスデータＤｒを生成する。すなわち、アドレスデコーダ４２からマイクロプロセッサＭＰＵを介して供給されるアドレスデータＤ４に基づいて、ディスクに対するピックアップ３８の位置を判断する。そして、ピックアップ３８がピットアートを書き込むべき位置に来たと判断すると、アドレスデータＤｒによってピットアートデータメモリ４７をメモリアクセスし、ビットマップデータＤbmpを各ドット毎のピットアートデータＤｐとしてマイクロプロセッサＭＰＵを介してエンコーダ３６に供給してピットアート書き込みを行わせる。
【００９５】
次に、かかる構成を有する本オーディオ装置１１のピットアート書き込み動作を図１２のフローチャートを参照して説明する。尚、典型例として、図１に示したＣＤ−Ｒにピットアートを形成する場合について説明する。
【００９６】
図１２において、ユーザーが、上記のＣＤ−Ｒ（以下、ディスクという）ＤＳＣを、第２の面２がピックアップ３８に対向するように向けてディスク挿入口１３に装填し、ファンクションスイッチ１９中の所定の操作スイッチを操作してピットアート書き込みの指示をすると（ステップＳ１００）、ステップＳ１０２に移行する。
【００９７】
ステップＳ１０２では、システムコントローラ３１が上記ジョグダイヤルと呼ばれるロータリースイッチ２１又はキーボード３２によって文字等が入力されたか判断し、次に、ステップＳ１０４において、文字等が入力されると、その入力された文字等のデータをシステムコントローラ３１内のバッファレジスタ（図示省略）に格納すると共に、表示部１４がその文字等を点滅表示する。そして、ユーザーの確定操作がなされると、ステップＳ１０６において、上記バッファレジスタ内の文字等のデータを確定すると共に、上記点滅表示を静止画表示（点滅しない表示）に切り替えて、入力された文字等を確定した旨を知らせる。
【００９８】
より具体的には、ユーザーがロータリースイッチ２１を適宜に回転させ又はキーボード３２を操作して、例えば文字列「MY FAVORITE MUSIC」と入力すると、この文字列のデータを上記バッファメモリに記憶し、更に、図１３（ａ）に示すように、表示部１４に文字列を点滅表示する。そして、ユーザーがファンクションスイッチ１９中の所定の操作スイッチを操作してその文字列を最終的にピットアートとして確定するための指示をすると、上記バッファメモリに記憶したデータを確定すると共に、点滅表示していた文字列を静止画表示に切り替えた後、ステップＳ１０８に移行する。
【００９９】
ステップＳ１０８では、ピックアップ３８を追記型ディスクＤＳＣの半径方向に移動させつつプログラム領域２ａを光学検出し、次に、ステップＳ１１０において、光学検出した結果に基づいて記録可能なディスクが装填されたか否か判断する。
【０１００】
ここで、仮にＣＤ−ＲＯＭ等の再生専用ディスクが装填された場合には、記録できない旨を表示部１４に表示する等の記録禁止処理を行って（ステップＳ１１２）、強制的にピットアート書き込みの処理を終了する。一方、追記型ディスクＤＳＣであれば、記録可能なディスクが装填されたと判断してステップＳ１１４に移行する。
【０１０１】
ステップＳ１１４では、上記ステップＳ１０８で光学検出したプログラム領域２ａの先頭トラック（以下、先頭アドレスという）ADRSと終端トラック（以下、終端アドレスという）ADREを検出し、それらのアドレスデータADRS，ADREを、編集指令のデータＤ７と共に、図１１に示したピットアートデータ編集部５１に供給する。更に、ピットアートデータ編集部５１が、アドレスデータADRS，ADREに基づいて、プログラム領域２ａの形状を演算する。すなわち、プログラム領域２ａの半径方向における幅を算出し、その幅に合った円環状の形状を演算する。
【０１０２】
次に、ステップＳ１１６において、上記バッファレジスタに格納した文字列等のデータ（ユーザーが選択した文字列等のデータ）Ｄ６を、図１１に示した文字データデコード部５０に供給する。
【０１０３】
次に、ステップＳ１１８において、文字データデコード部５０がデータＤ６に対応する標準文字データＤｃを検索してピットアートデータ編集部５１へ供給し、ピットアートデータ編集部５１が標準文字データＤｃをビットマップデータＤbmpに変換する。
【０１０４】
次に、ステップＳ１２０において、ピットアートデータ編集部５１が、ビットマップデータＤbmpの大きさとプログラム領域２ａの形状とを比較し、ピットアートがプログラム領域２ａからはみ出ないように、ビットマップデータＤbmpの解像度（単位面積当たりのドット密度）と大きさを編集する。そして、編集したビットマップデータＤbmpをピットアートデータメモリ４７に記憶させる。
【０１０５】
次に、ステップＳ１２２において、マイクロコンピュータＭＰＵを通じて、ピットアートデータメモリ４７に記憶したビットマップデータＤbmpを表示部１４に供給し、追記型ディスクＤＳＣのプログラム領域２ａにどのようにピットアートが形成されるかプレビュー表示する。
【０１０６】
例えば、図１１（ｂ）に示すように、上記データＤ６が「MY FAVORITE MUSIC」という文字列であったとすると、追記型ディスクＤＳＣの形状とそのプログラム領域２ａの形状が表示され、更に、プログラム領域２ａの表示中に、編集した「MY FAVORITE MUSIC」のビットマップデータＤbmpを表示する。また、このビットマップデータＤbmpに基づいてピットアート書き込みを開始しても良いか否かの指示を促すための表示、例えば「表示されているイメージでＯＫですか？」などの表示を行う。
【０１０７】
これにより、ユーザーは、ピットアートとして書き込まれるであろう「MY FAVORITE MUSIC」の文字の大きさや配置などを予め知ることができるようになっている。
【０１０８】
次に、このプレビュー表示に対して、ステップＳ１２４においてファンクションスイッチ１９又はキーボード３２によりピットアート書き込み開始の指示がなされると、ステップＳ１２６に移行する。一方、ファンクションスイッチ１９やキーボード３２によりピットアート記録を行わない旨の指示がなされると、ステップＳ１１２に移行し、ピットアート書き込みの処理を終了する。
【０１０９】
次に、ステップＳ１２６では、ピックアップ３８をプログラム領域２ａの開始アドレスADRSに位置させる。
【０１１０】
次に、ステップＳ１３８において、ピットアートデータメモリ４７からビットマップデータＤbmpの最初の１ドット分を読み出し、ピットアートデータＤｐとしてピックアップ３８に供給することでプログラム領域２ａに書き込ませる。
【０１１１】
次に、ステップＳ１３０において、全てのビットマップデータＤbmpをプログラム領域２ａに書き込んだか否か判断し、未だであればステップＳ１２６に戻って次の１ドット分のビットマップデータＤbmpをピットアートデータＤｐとしてピックアップ３８に供給し、プログラム領域２ａの次のアドレスに書き込ませる（ステップＳ１２８）。
【０１１２】
そして、全てのビットマップデータＤbmpの書き込みが完了すると、ステップＳ１３２において、表示部１４にピットアート書き込みが完了した旨の表示をした後、ピットアート書き込みの処理を終了する。
【０１１３】
こうしてピットアート書き込みが行われると、例えば図３に示したように、プログラム領域２ａにピットアートが形成される。
【０１１４】
このように、本オーディオ装置１１を用いると、ユーザーは好みのピットアートを書き込んでディスクを識別したり管理等することができる。
【０１１５】
尚、ピットアート書き込み機能を有するオーディオ装置１１によってピットアートを書き込む場合を説明したが、本発明はこれ限定されるものではなく、上記オーディオ装置１１と同等のピットアート記録機能をコンピュータプログラムで実現するようにしてもよい。
【０１１６】
例えばパーソナルコンピュータ等に、レコーダブルなＣＤプレーヤやＤＶＤプレーヤ等を搭載し、パーソナルコンピュータ等に上記ピットアート記録機能を有するコンピュータプログラムをインストールし、そのコンピュータプログラムをパーソナルコンピュータ等に実行させることで、レコーダブルなＣＤプレーヤやＤＶＤプレーヤ等に装填した本発明の追記型ディスクや書き換え可能型ディスクにピットアートを書き込むようにしてもよい。
【０１１７】
【発明の効果】
以上説明したように本発明の情報記録再生媒体によれば、少なくとも一方の面に、レーベル領域と、光学的に情報を書き込むことが可能なプログラム領域を設け、プログラム領域に光学的にイメージパターンを書き込むようにしたので、文字や絵柄等のピートアートを記録することで、多数の情報記録再生媒体を識別したり管理等することが可能となる。また、ピットアートは光学的に記録されるため、従来の手書きのように次第に薄くなったり美観を損なうという問題を未然に防止することができる。
【図面の簡単な説明】
【図１】本実施形態の追記型ディスクの構造を示す平面図である。
【図２】図１に示した追記型ディスクの縦断面構造を拡大して示した断面図である。
【図３】図１に示した追記型ディスクにピットアートを記録した状態を示す説明図である。
【図４】追記型ディスクの第１の変形例の構造を示す平面図である。
【図５】追記型ディスクの第２の変形例の構造を示す平面図である。
【図６】追記型ディスクの第３の変形例の構造を示す平面図である。
【図７】追記型ディスクの第４の変形例の構造を示す平面図である。
【図８】第４の変形例の追記型ディスクの縦断面構造を拡大して示した断面図である。
【図９】オーディオ装置の外観構造を示す図である。
【図１０】オーディオ装置の内部構成を示すブロック図である。
【図１１】オーディオ装置に設けられたピットアートデータ生成部の構成を示すブロック図である。
【図１２】オーディオ装置のピットアート書き込み時の動作を説明するためのフローチャートである。
【図１３】プレビュー表示の一例を示す説明図である。
【符号の説明】
１…第１の面
１ａ…プログラム領域
１ｂ…レーベル領域
２…第２の面
２ａ…プログラム領域
２ｂ…レーベル領域
３…反射層
４ａ，４ｂ…記録層
５ａ，５ｂ…透過層
６，６ａ，６ｂ…シート
７…円環状のピットアート
１１…オーディオ装置
１４…表示部
４７…ピットアートデータメモリ
４８…標準データメモリ
４９…ピットアートデータ生成部
５０…文字データデコード部
５１…ピットアートデータ編集部
５２…アドレス生成部
ＤＳＣ…ディスク
【図１】
0004278820.tif 000002
【図２】
0004278820.tif 000003
【図３】
0004278820.tif 000004
【図４】
0004278820.tif 000005
【図５】
0004278820.tif 000006
【図６】
0004278820.tif 000007
【図７】
0004278820.tif 000008
【図８】
0004278820.tif 000009
【図９】
0004278820.tif 000010
【図１０】
0004278820.tif 000011
【図１１】
0004278820.tif 000012
【図１２】
0004278820.tif 000013
【図１３】
0004278820.tif 000014